(57)【要約】【課題】コンピュータにて読取可能な手書き情報を記載する手書き領域を広く設けた手書き用紙を提供する。【解決手段】手書き情報を読み取るシステムＳにおいて、手書き情報の記載領域を有する手書き用紙Ｔと、前記手書き情報に対して行う各種処理機能を示す機能情報の記載領域を有する機能用紙Ｋとを別体に設け、この手書き情報の記載領域に記載された手書き情報及び機能情報の記載領域に記載された機能情報とを自動的に読み取る読取手段１１と、この読取手段によって読み取られた手書き情報を電子データ化する変換手段１２と、前記機能情報の示唆する機能を判断する機能判断手段１３とを備えた。【選択図】図１
2004070515.tif 000002
【特許請求の範囲】
【請求項１】
手書き情報の記載領域を有する手書き用紙と、前記手書き情報に対して行う各種処理機能を示す機能情報の記載領域を有する機能用紙とを別体に設け、この手書き情報の記載領域に記載された手書き情報及び機能情報の記載領域に記載された機能情報とを自動的に読み取る読取手段と、
この読取手段によって読み取られた手書き情報を電子データ化する変換手段と、
前記機能情報の示す機能を判断する機能判断手段とを備えたことを特徴とする手書き情報読取システム。
【請求項２】
手書き用紙に記載された手書き情報と、前記手書き用紙と別体の機能用紙に記載された情報であって、前記手書き情報に対して行う各種処理機能を示す機能情報とを自動的に読み取る読取手段と、
この読取手段によって読み取られた手書き情報を電子データ化する変換手段と、
前記機能情報の示す機能を判断する機能判断手段とを備えたことを特徴とする筆記用具。
【請求項３】
手書き情報の記載領域を有する手書き用紙であって、
前記手書き情報に対して行う各種処理機能を示す機能情報の記載領域を有する機能用紙と別体に設けたものであると共に、請求項２記載の筆記用具により読み取り可能なものであることを特徴とする手書き用紙。
【請求項４】
手書き情報に対して行う各種処理機能を示す機能情報の記載領域を有するものであって、
前記手書き情報の記載領域を有する手書き用紙と別体に設けたものであると共に、請求項２記載の筆記用具により読み取り可能なものであることを特徴とする機能用紙。
【請求項５】
機能情報を記載するために使用される筆記用具の着色料が付着しない加工を施していることを特徴とする請求項４記載の機能用紙。
【請求項６】
裏面に粘着層を有するシール部材により構成されていることを特徴とする請求項４または５記載の機能用紙。
【請求項７】
手書き用紙に対して着脱可能に設けられていることを特徴とする請求項４ないし６記載の機能用紙。
【請求項８】
機能情報が、手書き用紙に記載された手書き情報を表示するプログラムを示す表示プログラム指示情報を含むことを特徴とする請求項４乃至７記載の機能用紙。
【請求項９】
手書き情報に対して行う各種処理機能を複数種類有していることを特徴とする請求項４乃至８記載の機能用紙。
【請求項１０】
手書き用紙に記載された手書き情報と、前記手書き用紙と別体の機能用紙に記載された情報であって、前記手書き情報に対して行う各種処理機能を示す機能情報とを自動的に読み取る読取ステップと、
この読取手段によって読み取られた手書き情報を電子データ化する変換ステップと、
前記機能情報の示す機能を判断する機能判断ステップとを備えたことを特徴とする手書き情報読取方法。
【請求項１１】
コンピュータを、手書き用紙に記載された手書き情報と、前記手書き用紙と別体の機能用紙に記載された情報であって、前記手書き情報に対して行う各種処理機能を示す機能情報とを自動的に読み取る読取手段と、
この読取手段によって読み取られた手書き情報を電子データ化する変換手段と、
前記機能情報の示す機能を判断する機能判断手段として機能させるための手書き情報読取プログラム。
【発明の詳細な説明】
【０００１】
【発明の属する技術分野】
本発明は、コンピュータにて読み取り可能な手書き情報を記載する際に好適に利用されるものである。
【０００２】
【従来の技術】
近年、電子メールの普及は目覚しいものがあるが、まだパーソナルコンピュータや携帯電話などの操作になれないものも多いのが実情である。このような人にも手軽に電子メールなどのメッセージ伝達方法を利用してもらうため、手書き用紙に書いた手書き情報を自動的に電子データ化できる電子ペンを介して、携帯電話やパーソナルコンピュータ等に表示可能なテキストデータとして送信するシステムが開発されている。
【０００３】
このような手書き用紙は、同一の用紙上に文章等の手書き情報を記載する記載領域と、この手書き情報に対する機能を示唆する機能情報を記載するための領域、例えば、前記手書き情報を情報処理装置へと送信することを示唆する送信情報を記載するための送信欄を設けている。そして、この送信欄にチェックマークが入ったことを認識することにより、手書き情報を情報処理装置へと送信するように構成している。
【０００４】
【発明が解決しようとする課題】
ところが、上述の通り同一の用紙上に手書き情報の記載領域および機能情報の記載領域を設けていると、例えば送信欄など、機能情報を記載する領域分どうしても手書き情報を記載する領域を狭くせざるを得ない。
【０００５】
更に、このような手書き用紙は、個々の用紙上に予め設けられた機能しか利用することができず、使用用途が著しく限られてしまう。
【０００６】
【課題を解決するための手段】
そこで、本発明は、手書き情報を読み取るシステムにおいて、手書き情報の記載領域を有する手書き用紙と、前記手書き情報に対して行う各種処理機能を示す機能情報の記載領域を有する機能用紙とを別体に設け、この手書き情報の記載領域に記載された手書き情報及び機能情報の記載領域に記載された機能情報とを自動的に読み取る読取手段と、この読取手段によって読み取られた手書き情報を電子データ化する変換手段と、前記機能情報の示す機能を判断する機能判断手段とを備えたことを特徴とする。
【０００７】
これにより、手書き用紙と別体に設けた機能用紙に必要とされる機能情報を記載することができるため、手書き用紙上に機能情報を記載する領域を設ける必要性を無くし、手書き情報の記載領域を最大限に広く設けることができる。また、手書き用紙には、手書き情報を読み取り可能な記載領域のみを確保すれば足りるため、手書き用紙の製造を簡素化することが可能となる。
【０００８】
更に、機能情報を記載するために使用される筆記用具の着色が付着しない加工を施こすことにより、同一の機能用紙を何度でも使用することが可能となる。
【０００９】
具体的な実施の対応としては、機能用紙を裏面に粘着層を有するシール部材として構成したり、手書き用紙に対して着脱可能に構成することも考えられる。
【００１０】
また、手書き情報に対して示唆する機能が、手書き用紙に記載された手書き情報の表示プログラムを示唆する機能であることにより、使用者の様々な用途に応じた表示を可能とする。
【００１１】
加えて、手書き用紙の用途を拡張するために、手書き情報に対して行う各種処理機能を複数種類有していることが望ましい。
【００１２】
【発明の実施の形態】
以下、本発明の一実施形態を、図１から図１０を参照して説明する。
【００１３】
１．機器構成
図１は、この実施の形態における全体システムを示した構成図である。この手書き情報読取システムＳは、手書きされた文章等を情報端末装置Ｐ２へと送信して表示させるためのものであり、文章等の手書き情報を記載する手書き用紙Ｔと、この手書き情報に対する機能を示唆している機能情報を記載する機能用紙Ｋとを別体に設け、この機能用紙Ｋに記載された機能情報を基に手書き情報に様々な機能を付加させるものである。
【００１４】
Ｐ１は、後述する手書き用紙Ｔや機能用紙Ｋに記入するために使用する情報処理機能を有する筆記用具たる電子ペンＰ１であり、Ｐ２は、使用者の家庭内等に設置された情報処理装置Ｐ２である。
【００１５】
この電子ペンＰ１と情報処理装置Ｐ２とは、ブルートゥース等の無線ＬＡＮによって通信可能に接続されている。
【００１６】
電子ペンＰ１は、使用者が手書き用紙Ｔに文章等を記載したり、送信欄であるＳｅｎｄ欄Ｗ６や、手書き情報の表示プログラムを示すための表示プログラム指示欄であるＷｏｒｄ欄Ｗ１等、機能情報を記載する機能用紙Ｋに設けられた欄にチェックマークを記入したりする際に利用するものである。また、図２に示すように、ペン先部１０１を有し、筆記可能に構成されたものであり、さらに内部に、ＣＰＵ１０２、内部メモリ１０３、ワイヤレストランシーバ等の通信インターフェース１０４、ＣＭＯＳカメラ１０５、筆圧センサー１０６、図示しないバッテリ等を備えている。なお、ＣＭＯＳカメラ１０５は、図示しない赤外線照射部を備えており、この赤外線照射部で照射してペン先部１０１の近傍である手書き用紙Ｔや機能用紙Ｋの所定範囲を撮影可能に設定されている。また、筆圧センサー１０６は、ペン先部１０１に接続して筆記時にこのペン先部１０１の先端部にかかる一定以上の筆圧を検知してその検知信号を発生するように設定されている。
【００１７】
また、本実施形態において使用する手書き用紙Ｔは、図１に示すように、複数の手書き用紙Ｔを上部のリングにて綴ったメモ帳形式に綴じているもので、各手書き用紙Ｔの全面を記載領域とし、使用者が文章や図柄等の手書き情報を記載するための用紙である。
【００１８】
詳述すると、この手書き用紙Ｔは、当該手書き用紙Ｔ上における位置情報を与え得る位置情報提供手段たるドットパターンＤＰを備えたものである。ドットパターンＤＰは、手書き用紙Ｔの前面の略全体に印刷されているものであり、図３にその一部拡大図を示すように、一定の法則により配置された微少な円形状の無数のドットｄからなり、これらドットｄの所定範囲内（例えば２ミリ四方）における配置パターンによって、記載領域に記載されたものを平面的な絶対位置を判別可能にしたもので、例えば、図示例のように、印刷されていない縦横に等間隔に走る罫線（図中想像線で示している）の交点を基準点として設定しておき、この基準点からのドットｄの相対的な位置関係を利用してパターンとしたものなどである。なお、本実施形態において、このドットパターンＤＰは、カーボンインクによって印刷されたものであるが、例えば、透明であり且つ後述する読取手段１１として機能するＣＭＯＳカメラ１０５の赤外線照射部よって、所定波長の光を照射されて当該ＣＭＯＳカメラ１０５に読み取り可能な光を発光するインクたる発光インクによって印刷するようにして、ドットパターンＤＰが、手書き用紙Ｔから目立たないようにしたようなものであってもよい。尚、メモ帳として綴られている各手書き用紙Ｔは、すべて同じドットパターンＤＰを有する用紙となっている。
【００１９】
また、前記手書き情報に対する機能を示唆する機能情報を記入する機能用紙Ｋは、図１に示すように、前記メモ帳形式に綴られた手書き用紙Ｔと別体に設けられているものであり、着脱部を有して前記手書き用紙Ｔに対して着脱可能に構成されている。具体的には、可撓性を有するプレートから構成されており、図１、図４に示すように、上方に前記リングに対して挿脱可能とするために一端に開口部を有するリング孔を複数設けている。
【００２０】
この機能用紙Ｋには、機能情報である表示プログラム指示情報を記載する欄、つまり手書き用紙Ｔに記載された手書き情報を表示する際の表示プログラムであるＷｏｒｄ、ＰｏｗｅｒＰｏｉｎｔ（Ｒ）、Ｏｕｔｌｏｏｋ（Ｒ）、Ｎｏｔｅ、Ｅｘｃｅｌの中からいづれの表示プログラムにて表示するかを示すためのＷｏｒｄ欄Ｗ１、ＰｏｗｅｒＰｏｉｎｔ（Ｒ）欄Ｗ２、Ｏｕｔｌｏｏｋ（Ｒ）欄Ｗ３、Ｎｏｔｅ欄Ｗ４、Ｅｘｃｅｌ欄Ｗ５が設けられている。更に、前記手書き用紙Ｔに必要な情報を記入した後、情報処理装置Ｐ２に送信をすることを許可する場合にチェックマークを記入する送信欄であるＳｅｎｄ欄Ｗ６も設けている。
【００２１】
また、この機能用紙Ｋは、表面に透明のラミネート処理が施されており、電子ペンＰ１の着色料であるインクが付かないように構成している。
【００２２】
詳述すると、この機能用紙Ｋは、前記手書き用紙Ｔと同様に、当該機能用紙Ｋ上における位置情報を与え得る位置情報提供手段たるドットパターンＤＰを備えたものである。ドットパターンＤＰは、各欄の前面の略全体に印刷されているものであり、一定の法則により配置された微少な円形状の無数のドットｄからなり、これらドットｄの所定範囲内（例えば２ミリ四方）における配置パターンによって、各欄に記載されたものを平面的な絶対位置を判別可能にしたもので、例えば、図示例のように、印刷されていない縦横に等間隔に走る罫線（図中想像線で示している）の交点を基準点として設定しておき、この基準点からのドットｄの相対的な位置関係を利用してパターンとしたものなどである。なお、本実施形態において、このドットパターンＤＰは、カーボンインクによって印刷されたものであるが、例えば、透明であり且つ後述する読取手段１１として機能するＣＭＯＳカメラ１０５の赤外線照射部よって、所定波長の光を照射されて当該ＣＭＯＳカメラ１０５に読み取り可能な光を発光するインクたる発光インクによって印刷するようにして、ドットパターンＤＰが、機能用紙Ｋから目立たないようにしたようなものであってもよい。
【００２３】
情報処理装置Ｐ２は、家庭内等に設置される画面表示機能、通信機能等を有した汎用のパーソナルコンピュータであって、前記電子ペンＰ１と、ブルートゥース等の無線ＬＡＮによって通信可能に接続されているものである。詳述すると、図５に示すように、ＣＰＵ２０１、内部メモリ２０２、ＨＤＤ等の外部記憶装置２０３、ディスプレイ２０４、モデムや無線通信の通信部を含む通信インターフェース２０５、マウス、キーボードなどの入力装置２０６等を有する。
【００２４】
２．概略機能
次に各情報処理装置の有する機能について図６を用いて詳述する。
【００２５】
電子ペンＰ１は、そのメモリ等に記憶させたプログラムにしたがってＣＰＵ１０１や、その他の機器が作動し、読取手段１１、変換手段１２、機能判断手段１３、記憶手段１４、送信手段１５としての機能を少なくとも発揮するものである。
【００２６】
読取手段１１は、手書き用紙Ｔや機能用紙Ｋの各記載領域に記載が開始されると同時に、その情報を自動的に読み取るものである。具体的には、読取手段１１は、筆圧センサー１０６に一定以上の筆圧が検知されたことを開始信号として、この手書き用紙Ｔ等に記載する過程でペン先部１０１の動きに合わせて、ペン先部１０１付近に設けられたＣＭＯＳカメラ１０５によって記載されていく情報近傍の所定範囲を次々と撮影し、その撮影された範囲のドットパターンＤＰを手書き用紙Ｔ上または機能用紙Ｋ上での位置情報として読み取っている。
【００２７】
変換手段１２は、読取手段１１によって読み取られた手書き情報や機能情報等を電子データ化するものである。すなわち、その記載された情報が手書き用紙Ｔや機能用紙Ｋのどの位置に書かれているかという情報を示すものである。
【００２８】
機能判断手段１３は、後述する送信手段１５を用いて軌跡データの送信許可を意味するチェックマークの記入が、機能用紙ＫのＳｅｎｄ欄Ｗ６の中になされているかどうかを確認するもので、具体的には、Ｓｅｎｄ欄Ｗ６へのチェックマーク記入が、読取手段１１によって、読み取られたかどうかを確認するものである。
【００２９】
記憶手段１４は、前記変換手段１２によって、電子データ化された各種情報を少なくとも一時的に記憶するものである。この記憶手段１４は、内部メモリ１０３が担っている。当該記憶手段１４で記憶されている情報は、電子ペンＰ１のペン先の軌跡に相当するものであり、すなわち図７に示すようにそのメッセージ等の記入に伴って順次ＣＭＯＳカメラ１０５に撮像されたドットパターンＤＰの組み合わせに相当する。なお、この図７において、便宜上それぞれのドットパターンＤＰを５桁の数字に対応させて模式的に示している。
【００３０】
送信手段１５は、前記機能判断手段１３により送信許可を意味するチェックマークを確認された場合に、記憶手段１４に記憶された手書き情報及び各機能用紙Ｋに記載された機能情報を送信するものである。この送信は、本実施形態では、ブルートゥースによって行われるもので、通信インタフェース１０４を利用している。
【００３１】
情報処理装置Ｐ２は、その内部メモリ２０２やＨＤＤなどの外部記憶装置等２０３に記憶させたプログラムにしたがってＣＰＵ２０１や、その他周辺機器が作動し、受信手段２１と、変換手段２２と、機能判断手段２３と、記憶手段２４と、表示手段２５としての機能を少なくとも発揮するものである。
【００３２】
受信手段２１は、電子ペンＰ１の送信手段１５から送信された各種情報を受信するものである。
【００３３】
変換手段２２は、軌跡データを読み取り、手書き情報を画像データ等に変換するものである。
【００３４】
また、受信手段２１を用いて受信した機能情報の位置情報を基に、選択された機能を判断し表示プログラム識別子へと変換する。具体的には、図８に示すように、後述する記憶手段２４に蓄積された情報、つまり、予め機能情報毎に設定されている表示プログラム識別子を、その機能を指定するためにマークを記入する所定領域である各機能欄の位置情報に関連付けて記憶している情報を基に電子ペンＰ１から送信されてきた表示プログラム指示情報を判断し、表示プログラム識別子へと変換する。なお、図８においても、図７に示したものと同様に、機能欄の位置情報として、機能欄が設定されている機能用紙Ｋ上の位置に存在するドットパターンＤＰを数字に対応させて模式的に示している。
【００３５】
機能判断手段２３は、手書き情報に対して行う各種処理機能を示す機能情報がいかなる機能を指示しているかを判断する機能を有しており、例えば本実施の形態においては、前記手書き情報をいかなる表示プログラムにて後述する表示手段２５を用いて表示するかを判断する。具体的には、前記変換手段２２によって変換された表示プログラム識別子に基づいて、いかなる表示プログラム指示欄へのチェックマーク記入が、読取手段１１によって位置情報と筆圧情報として、読み取られたかどうかを判断するものである。そして、その判断した表示プログラムを立ち上げると共に、前記手書き情報をその表示プログラムにて表示する旨の表示制御信号を出す。
【００３６】
記憶手段２４は、ＨＤＤなどの外部記憶装置２０３の所定の記憶領域に、電子ペンＰ１から送信されてきた情報等を記憶する機能を有するものである。
【００３７】
詳述すると、前記変換手段２２によって変換された画像データ形式の手書き情報及び機能判断手段２３を用いて判断された機能情報とを関連付けて記憶するものである。また、前述の通り、まず所定の領域に予め表示プログラム毎に設定されている表示プログラム識別子をその機能つまり、本実施形態においては表示プログラムを示すためにマークを記入する所定領域である各機能欄の位置情報に関連付けて記憶しているものである。
【００３８】
表示手段２５は、図１に示すように、表示制御信号に基づいて、前記記憶手段２３で記憶された手書き情報を前記機能判断手段２３を用いて判断した表示プログラムを用いて情報処理装置Ｐ２のディスプレイ２０４に表示するものである。尚、本実施形態においては、Ｗｏｒｄにして表示している。
【００３９】
３．動作例
次に本実施形態のシステムの動作例を説明する。
【００４０】
まず送り手は、電子ペンＰ１を用いて手書き用紙Ｔに文章等を記載する。そしてその後、機能用紙Ｋに設けた表示プログラム指示欄Ｗ１乃至Ｗ５の中から手書き用紙Ｔに記載した記載事項の表示プログラムを選択し、その該当する欄にチェックマークを記入する。そして、すべての記載が終わった段階で送信欄であるＳｅｎｄ欄Ｗ６にチェックマークを記入する。
【００４１】
この場合の電子ペンＰ１の動作を図９に示すフローチャートに従って以下に述べる。
【００４２】
まず、記入の動作と同時に、電子ペンＰ１内に設けられた筆圧センサー１０５が筆圧を検知して（Ｓ１）、読取手段１１を構成するＣＭＯＳカメラ１０４によってペン先部１１の動きに合わせドットパターンＤＰの撮像を開始する。（Ｓ２）。
【００４３】
次に、これら撮像されたドットパターンＤＰに基づく軌跡データ形式の情報を生成し（Ｓ３）、内部メモリ１０３に記憶する（Ｓ４）。
【００４４】
そして、機能判断手段１３により機能情報の示す機能を判断する（Ｓ５）。具体的には、送信手段１５を用いて軌跡データの送信許可を意味するチェックマークの記入が、機能用紙ＫのＳｅｎｄ欄Ｗ６の中になされているかどうかを確認する。そして、Ｓｅｎｄ欄Ｗ６へ記入されたチェックマークの読取が確認された場合には、これを送信信号として送信プログラムが起動する（Ｓ６：Ｙ）。
【００４５】
そして、内部メモリ１０３に記憶された手書き情報および機能情報を、ブルートゥースを介して情報処理装置Ｐ２に送信する（Ｓ７）。
【００４６】
次に情報処理装置Ｐ２の動作を図１０に示すフローチャートに従って以下に説明する。
【００４７】
まず、電子ペンＰ１から送信された前記手書き情報及び機能情報を受信する。（Ｓ１０１）。
【００４８】
次に、受信した軌跡データを、画像データ形式の情報へと変換すると共に、各種情報を前記記憶手段２２に記憶する（Ｓ１０２）。次に、受信した機能情報、本実施の形態においては表示プログラム指示情報を基に、機能判断手段２３を用いて表示プログラム指示欄へのチェックマークの位置情報から選択された表示プログラムを判断する（Ｓ１０３）。そして、この機能判断ステップにて判断した表示プログラムを自動的に起動させ（Ｓ１０４）、受信した手書き情報を表示する（Ｓ１０５）。
【００４９】
以上のように構成した実施形態によれば、手書き用紙Ｔと別体に設けた機能用紙Ｋに必要とされる機能情報を記載することができるため、手書き用紙Ｔ上に機能情報を記載する領域を設ける必要性を無くし、手書き情報の記載領域を最大限に広く設けることができる。また、手書き用紙Ｔには、手書き情報を読み取り可能な記載領域のみを確保すれば足りるため、手書き用紙Ｔの製造を簡素化することが可能となる。
【００５０】
更に、機能情報を記載するために使用される筆記用具の着色料が付着しない加工を施こすことにより、同一の機能用紙Ｋを何度でも使用することが可能となる。
【００５１】
機能用紙Ｋを裏面に粘着層を有するシール部材として構成したり、手書き用紙Ｔに対して着脱可能に構成することにより、必要な機能を必要に応じて使用することができる。
【００５２】
また、手書き用紙Ｔに記載された手書き情報の表示プログラムを示す機能を有することにより、使用者の様々な用途に応じた表示を可能とする。
【００５３】
加えて、手書き情報を送信する等の機能を複数有していることで、手書き用紙Ｔの用途を拡張することができる。
【００５４】
なお、本発明は上記実施形態の態様に限られるものではない。
【００５５】
本実施の形態においては、複数の手書き用紙Ｔを同じドットパターンＤＰを有するものとしていたが、例えば図１１に示すノートなどのように各ページの一枚づつを異なるドットパターンＤＰを有する手書き用紙Ｔとすることも考えられる。その際には、個々の手書き用紙Ｔを認識するために、一枚の手書き用紙Ｔに一のＳｅｎｄ欄Ｗ６を設けておいて、表示プログラム指示情報など送信以外の機能を有する機能情報を記載する機能用紙を別体に設けても良い。更には、本実施の形態においては罫線を有しないメモ帳形式の手書き用紙Ｔについて説明したが、図１２に示すように、縦横に罫線を有するセクションパッドのようなものにて手書き用紙Ｔを構成しても良い。
【００５６】
また、本実施の形態においては、各種欄にチェックマークを入れることにより機能情報を記載していたが、直接各種機能を表す文字を機能用紙Ｋに記載してもよい。
【００５７】
更に、情報処理装置Ｐ２が、送信手段を備えたものとしても良い。例えば、インターネットＮＥＴなどの通信ネットワークを介して、メール形式で表示したものをそのまま送信できるようにすることが考えられる。
【００５８】
また、本実施の形態においては、一枚の機能用紙Ｋ上に複数の機能情報を記載する欄を設けているが、図１３や図１４のように、個々の機能情報を記載する機能用紙Ｋを裏面に粘着層を有するシール部材にて構成し、使用する手書き用紙Ｔに必要な機能用紙Ｋを選択して貼り付けて使用しても良い。
【００５９】
更には、読取手段１１については、電子ペンＰ１に手書き書込時に超音波を発する機能を設ける一方、その超音波を感知してペン先部１０１の位置を認識する機能を設ける構成としたり、電子ペンＰ１の動きを磁気的、感圧的又は静電気的に検知して入力軌跡を判別し得るようにするなど、適宜の方式を採用することができる。さらに、例えばペン先部１０１等でなぞった手書き用紙Ｔ表面の情報を光学的に読み取り解析するとともに、ペン先の動きを解析することによって入力軌跡をデータ化し、Ｂｌｕｅｔｏｏｔｈ等により送信するような態様のものも適用することができる。
【００６０】
加えて、電子ペンＰ１の変換手段１２を、画像データたる軌跡データをさらにテキストデータ化するようなものとし、送信手段１５が変換手段１２によって変換されたテキストデータ形式の情報を送信するように構成してもよい。
【００６１】
加えて、本実施形態における電子ペンＰ１の送信手段１６は、ブルートゥースなどの無線を介して送信可能なものであったが、この送信手段１６をインターネットＮＥＴなどの通信ネットワークを介して送信可能なものに構成してもよい。
【００６２】
また、電子ペンをインク等を備えないペン先部を有するものに構成するとともに、手書き用紙Ｔを上述したようなドットパターンＤＰ等の位置情報提供手段を備えた透明のカバーと手書き用紙Ｔ本体とを備えて構成し、このカバーの上から前記ペン先部でなぞるようにしてマークを記入するようにしたものであってもよい。
【００６３】
その他、各部の具体的構成についても上記実施形態に限られるものではなく、本発明の趣旨を逸脱しない範囲で種々変形が可能である。
【００６４】
【発明の効果】
本発明は、手書き情報を読み取るシステムにおいて、手書き情報の記載領域を有する手書き用紙と、前記手書き情報に対して行う各種処理機能を示す機能情報の記載領域を有する機能用紙とを別体に設け、この手書き情報の記載領域に記載された手書き情報及び機能情報の記載領域に記載された機能情報とを自動的に読み取る読取手段と、この読取手段によって読み取られた手書き情報を電子データ化する変換手段と、前記機能情報の示唆する機能を判断する機能判断手段とを備えたことを特徴とする。
【００６５】
これにより、手書き用紙と別体に設けた機能用紙に必要とされる機能情報を記載することができるため、手書き用紙上に機能情報を記載する領域を設ける必要性を無くし、手書き情報の記載領域を最大限に広く設けることができる。また、手書き用紙には、手書き情報を読み取り可能な記載領域のみを確保すれば足りるため、手書き用紙の製造を簡素化することが可能となる。
【図面の簡単な説明】
【図１】本発明の一実施の形態における全体機器構成図。
【図２】同実施の形態における電子ペンの構成図。
【図３】同実施形態における手書き用紙のドットパターンを示す拡大説明図。
【図４】同実施形態における手書き用紙に機能用紙を取り付けた図。
【図５】同実施の形態における情報処理装置の内部構成図。
【図６】同実施の形態における機能構成図。
【図７】同実施形態における各種情報の位置情報を示す模式図。
【図８】同実施形態における機能情報の相関模式図。
【図９】同実施の形態における電子ペンの動作を示すフローチャート。
【図１０】同実施の形態における情報処理装置の動作を示すフローチャート。
【図１１】他の実施の形態における手書き用紙。
【図１２】他の実施の形態における手書き用紙。
【図１３】他の実施の形態における機能用紙。
【図１４】他の実施の形態における機能用紙。
【符号の説明】
Ｓ・・・手書き読取システム
Ｔ・・・手書き用紙
Ｋ・・・機能用紙
１１・・・読取手段
１２・・・変換手段
１３・・・機能判断手段
２３・・・機能判断手段
Ｐ１・・・筆記用具（電子ペン）
【図１】
2004070515.tif 000003
【図２】
2004070515.tif 000004
【図３】
2004070515.tif 000005
【図４】
2004070515.tif 000006
【図５】
2004070515.tif 000007
【図６】
2004070515.tif 000008
【図７】
2004070515.tif 000009
【図８】
2004070515.tif 000010
【図９】
2004070515.tif 000011
【図１０】
2004070515.tif 000012
【図１１】
2004070515.tif 000013
【図１２】
2004070515.tif 000014
【図１３】
2004070515.tif 000015
【図１４】
2004070515.tif 000016